(57)【要約】【課題】乗り場位置表示器内にアンテナを設置しても、無線通信機の通信性能を低下させることのないエレベーターの遠隔監視システムを提供することを目的とする。【解決手段】上記目的は、エレベーターの設置場所から離れた場所にある遠隔監視センターとエレベーター監視装置との間で監視情報を、アンテナ７及び無線通信機６を介して送受信するようにしたエレベーターの遠隔監視システムにおいて、乗り場位置表示器４の本体ケース８内に無線通信機６を配置すると共に、乗り場位置表示器４のパネル体９の内面９Ａにアンテナ７を近接させて配置することにより、達成できる。【選択図】図３
2005247538.tif 000002
【特許請求の範囲】
【請求項１】
エレベーターの動作を監視するエレベーター監視装置と、エレベーターの乗り場に設置されている乗り場位置表示器に内蔵され、かつ、前記エレベーター監視装置に通信線で接続された無線通信機と、この無線通信機に接続されたアンテナとを少なくとも備え、前記エレベーターの設置場所から離れた場所にある遠隔監視センターと前記エレベーター監視装置との間で監視情報を、前記アンテナ及び無線通信機を介して送受信するようにしたエレベーターの遠隔監視システムにおいて、前記エレベーターの乗り場方向に指向性を有するように、前記乗り場位置表示器の本体ケース内における乗り場側に前記アンテナを設置したことを特徴とするエレベーターの遠隔監視システム。
【請求項２】
前記乗り場位置表示器は、鋼板からなる前面開口の本体ケースと、この本体ケースの前面開口を覆う合成樹脂製のパネル体とを有し、そのパネル体に位置表示をするようにしたものであると共に、前記本体ケース内に前記無線通信機を配置し、かつ、前記パネル体内面に前記アンテナを近接させて配置したことを特徴とする請求項１記載のエレベーターの遠隔監視システム。
【請求項３】
前記アンテナは、平板とし、その平板の乗り場側に面している面側に、強い利得を持った指向性を有するようにしたことを特徴とする請求項１若しくは２記載のエレベーターの遠隔監視システム。
【発明の詳細な説明】
【技術分野】
【０００１】
本発明は、エレベーターの遠隔監視システムに関するものである。
【背景技術】
【０００２】
従来、エレベーターの遠隔監視システムとしては、建物等に設置されたエレベーターを監視するエレベーター監視装置を、そのエレベーターを制御する制御盤の近くに設けると共に、エレベーターを設置した建物等から遠く離れた場所にある遠隔監視センターとエレベーター監視装置との間の監視情報の送受信を、公衆無線通信網及び無線通信機を用いて行うようにし、しかも、その無線通信機のアンテナを乗り場位置表示器内に設けるようにしたものが提案されていた（例えば、特許文献１参照）。
【特許文献１】特開２００３−３４４７２号公報（段落番号０００５〜段落番号０００６、図１）
【発明の開示】
【発明が解決しようとする課題】
【０００３】
しかしながら、上述した従来のエレベーターの遠隔監視システムでは、アンテナによる通信可能な入力利得が得られる領域の大部分が、エレベーターの昇降路内部に向いてしまい、昇降路側壁で電波が減衰されて通信性能が低下してしまうという問題点があることがわかった。
【０００４】
本発明は、上述した問題点を解決するためになされたもので、その目的は、乗り場位置表示器内にアンテナを設置しても、遠隔監視センターとエレベーター監視装置との間の通信性能を低下させることのないエレベーターの遠隔監視システムを提供することにある。
【課題を解決するための手段】
【０００５】
上記目的を達成するために、本発明は、エレベーターの動作を監視するエレベーター監視装置と、エレベーターの乗り場に設置されている乗り場位置表示器に内蔵され、かつ、前記エレベーター監視装置に通信線で接続された無線通信機と、この無線通信機に接続されたアンテナとを少なくとも備え、前記エレベーターの設置場所から離れた場所にある遠隔監視センターと前記エレベーター監視装置との間で監視情報を、前記アンテナ及び無線通信機を介して送受信するようにしたエレベーターの遠隔監視システムにおいて、前記エレベーターの乗り場方向に指向性を有するように、前記乗り場位置表示器の本体ケース内における乗り場側に前記アンテナを設置したことを特徴としている。
【発明の効果】
【０００６】
上記本発明によれば、乗り場位置表示器内にアンテナを設置しても、無線通信機の通信性能を低下させることのないエレベーターの遠隔監視システムを提供できる。
【発明を実施するための最良の形態】
【０００７】
以下、本発明に係るエレベーターの遠隔監視システムの一実施形態を、図面に基づいて詳説する。図１は、本発明の一実施形態を示し、エレベーターの遠隔監視システムの概略構成図である。図２は、本発明の一実施形態を示し、エレベーターの乗り場位置表示器の外観斜視図である。図３は、本発明の一実施形態を示し、乗り場位置表示器の分解斜視図である。図４は、本発明の一実施形態を示し、エレベーターの乗り場位置表示器内に設置したアンテナの指向性説明図である。
【０００８】
図１に示す本発明の一実施形態のエレベーター１の遠隔監視システムは、エレベーター１の動作を監視するエレベーター監視装置２と、エレベーター１の乗り場３に設置されている乗り場位置表示器４に内蔵され、かつ、エレベーター監視装置２に通信線５で接続された無線通信機６と、この無線通信機６に接続されたアンテナ７とを少なくとも備えて、エレベーター１の設置場所から離れた場所にある遠隔監視センター（図示せず）とエレベーター監視装置２との間で、少なくとも監視情報を、アンテナ７及び無線通信機６を介して送受信する構成にしてある。
【０００９】
乗り場位置表示器４は、図２及び図３に示すように、鋼板からなる前面開口８Ａの本体ケース８と、この本体ケース８の前面開口８Ａを覆う合成樹脂製のパネル体９とを、少なくとも有し、そのパネル体９に位置表示をするように構成されている。無線通信機６は、図３に示すように、本体ケース８内に設置されている。パネル体９は、電波の通過性のすぐれた合成樹脂から作られている。
【００１０】
乗り場位置表示器４は、図４に示すように、本体ケース８をエレベーター１の乗り場３の側壁１０内に埋設させ、かつ、パネル体９を乗り場３側に露出させた状態で、乗り場３の側壁１０に取り付けられている。乗り場位置表示器４は、図１に示すように、エレベーター１の各階床に、設置されている。
【００１１】
無線通信機６に接続されたアンテナ７は、図３に示すように、パネル体９の内面９Ａに近接させた状態で配置することにより、エレベーター１の乗り場３方向に指向性を有するようにしてある。アンテナ７は、図３に示すように、平板とし、その平板の乗り場側に面している面側に、強い利得を持った指向性を有するように構成されている。無線通信機６は、エレベーター１の各階床に設置された乗り場位置表示器４のうち、最も、電波の電界強度の強い階床に設置されている乗り場位置表示器４内に設置されるようにしてある。
【００１２】
エレベーター１は、図１に示すように、建物等に設置されて、その建物等に設けられた昇降路１Ａ内を昇降する乗りかご１１と、そのエレベーターを制御する制御盤１２とを有している。制御盤１２は、図１に示すように、昇降路１Ａ内に設置されている。制御盤１２と乗りかご１１の電気機器類とは、テールコード１３によって、接続されている。乗りかご１１は、制御盤１２により制御させる巻上機の回転によって主ロープ（図示せず）を移動させることで、昇降路１Ａ内を昇降するようにしてある。エレベーター監視装置２は、図１に示すように、制御盤１２に近接させて配置してある。
【００１３】
上記構成によれば、図４に示すように、アンテナ７の通信可能領域が、エレベーター１の昇降路１Ａの内部に向うことがなくなり、無線通信機６の通信性能を常に、最良な状態に保持することができる。したがって、無線通信機６のアンテナ７を乗り場位置表示器４内に設置しても、昇降路１Ａの側壁で電波が減衰されてしまうようなことがなく、遠隔監視センターとエレベーター監視装置との間の通信を、無線通信機６により、常に最良の性能で行うことができる。
【図面の簡単な説明】
【００１４】
【図１】本発明の一実施形態を示し、エレベーターの遠隔監視システムの概略構成図である。
【図２】本発明の一実施形態を示し、エレベーターの乗り場位置表示器の外観斜視図である。
【図３】本発明の一実施形態を示し、エレベーターの乗り場位置表示器の分解斜視図である。
【図４】本発明の一実施形態を示し、エレベーターの乗り場位置表示器内に設置したアンテナの指向性説明図である。
【符号の説明】
【００１５】
１    エレベーター
１Ａ  昇降路
２    エレベーター監視装置
３    乗り場
４    乗り場位置表示器
５    通信線
６    無線通信機
７    アンテナ
８    本体ケース
８Ａ  本体ケースの前面開口
９    パネル体
９Ａ  パネル体の内面
１０  側壁
１１  乗りかご
１２  制御盤
１３  テールコード
【図１】
2005247538.tif 000003
【図２】
2005247538.tif 000004
【図３】
2005247538.tif 000005
【図４】
2005247538.tif 000006